(57)【特許請求の範囲】
【請求項１】
記録媒体に画像を形成するためのインクノズルを有する印字ヘッドと、該印字ヘッドを搭載し主走査方向に走査するキャリッジと、該キャリッジの位置を検知するためのカウンタが付されているリニアエンコーダシートと、上記キャリッジに取り付けられ、該リニアエンコーダシートの上記カウンタを光学的に読み取りキャリッジの位置を検出するエンコーダセンサとを具備する画像形成装置において、
少なくとも、上記キャリッジ、上記リニアエンコーダシート及び上記エンコーダセンサが内部に配置されている空間容器と、
該空間容器の内部が少なくとも負圧にならないように上記空間容器内の内圧を調整する内圧調整手段とを有し、
上記空間容器を構成する部材には、上記印字ヘッドのインクノズルからインクが吐出される領域と略同じ大きさの開口部が設けられていることを特徴とする画像形成装置。
【請求項２】
請求項１記載の画像形成装置において、
上記内圧調整手段が、上記空間容器内に空気を供給するファンであることを特徴とする画像形成装置。
【請求項３】
請求項１記載の画像形成装置において、
上記キャリッジの走査に伴って上記空間容器の上記開口部のうち上記キャリッジの走査領域の上記開口部を遮蔽可能な遮蔽部材を有することを特徴とする画像形成装置。
【請求項４】
請求項３記載の画像形成装置において、
上記遮蔽部材は伸縮可能な蛇腹状の部材であることを特徴する画像形成装置。
【請求項５】
請求項３記載の画像形成装置において、
上記遮蔽部材は回転可能なシート状の部材であることを特徴する画像形成装置。
【請求項６】
請求項１記載の画像形成装置において、
上記内圧調整手段が上記キャリッジが走査する方向の上記空間容器の側面筺体のそれぞれに設けられ、上記キャリッジが走査する方向の後方側となる上記空間容器の側面筺体に設けられた上記内圧調整手段を駆動することを特徴とする画像形成装置。
【請求項７】
請求項１又は６に記載の画像形成装置において、
上記内圧調整手段を印字動作終了後の一定時間駆動することを特徴とする画像形成装置。
【請求項８】
請求項１〜７のいずれか１項に記載の画像形成装置において、
上記空間容器に開閉カバーを設けたことを特徴とする画像形成装置。
【請求項９】
請求項８記載の画像形成装置において、
上記開閉カバーは、装置の外装部材の一部を併用して設けられていることを特徴とする画像形成装置。
【発明の詳細な説明】
【技術分野】
【０００１】
本発明は、画像形成装置に関するものである。
【背景技術】
【０００２】
プリンタ、ファクシミリ、複写装置、プロッタ、これらの複合機等の画像形成装置として、例えばインク液滴を吐出する記録ヘッドを用いた液体吐出記録方式の画像形成装置（インクジェット記録装置）が知られている。シリアル方式のインクジェット記録装置は、印字ヘッドを用紙の搬送方向（以下副走査方向と称す）と直交する方向（以下主走査方向と称す）に走査しながら、印字ヘッドのノズルからインクを用紙上に吐出することで印字を行う記録装置である。このようなシリアル式のインクジェット記録装置では、印刷媒体に対して正確な印字を行うため上記印字ヘッドを搭載するキャリッジの位置や移動量を検出する検出機構が必要である。この検出機構には一般的にリニアエンコーダシートを用いた機構が知られている。以下、リニアエンコーダシートを用いた検出機構を有する従来のシリアル方式のインクジェット記録装置の構成について図面を用いて説明する。
【０００３】
図１５は従来のシリアル式のインクジェット記録装置の構成を示す平面図である。同図において、キャリッジ１にはインクを吐出する複数の印字ヘッド２が搭載されている。また、キャリッジ１には無端状のタイミングベルト４が取り付けられ、このタイミングベルト４がモータ３によって回転駆動されることによってキャリッジ１はガイドロッド５に沿って主走査方向に移動する。その際に、キャリッジ１に設けられたエンコーダセンサ７は、キャリッジ１の主走査方向の少なくとも走査範囲に設置されたリニアエンコーダシート６のカウントを読み取ることによってキャリッジ１の走査位置を検知することができる。そして、用紙８が搬送機構９によって副走査方向に一定距離搬送される毎にキャリッジ１が走査されながら印字ヘッド２からインクを吐出して用紙８上に画像を形成する。以上のように、リニアエンコーダシート６は、上記エンコーダセンサ７が読み取り可能であるキャリッジ１の近傍に設けられている。また、リニアエンコーダシート６はキャリッジ１の走査範囲上に沿って剥き出しになって設けられている。
【０００４】
上述したように、シリアル式のインクジェット記録装置では、印字ヘッドのノズルからのインク滴の吐出に伴って発生するインクミストと呼ばれる霧状の微小なインク滴が発生する。このインクミストは全てが用紙に着弾するわけではなく、キャリッジの走査等によって起こる気流や静電引力等によって、装置の各部に付着して装置を汚してしまう。特に、長期間使用していると、インクミストが剥き出しているリニアエンコーダシートの表面に付着し汚染してしまうため、エンコーダセンサがリニアエンコーダシートのカウンタを読み取りできず検出不良を起こすという問題があった。そのキャリッジ位置の検知不良は画像に影響するだけでなく、キャリッジが制御できなくなり、高速で稼動するキャリッジが衝突して内部の機械が破損してしまい、信頼性や耐久性に影響が出る場合もある。
【０００５】
これらの問題を解決するための提案が従来よりいくつかなされている。その一つである特許文献１には、リニアエンコーダシートにインクミストが付着することを防ぐ目的で、リニアエンコーダシート及びエンコーダセンサを筒状の容器内に配置している。なお、エンコーダセンサの部位にはマグネットが設けられ、エンコーダセンサ側のキャリッジの側面にもマグネットが設けられている。２つのマグネットが筒状の容器の部材を介して磁気的に結合することで、キャリッジの移動に伴ってエンコーダセンサが移動するようにしてキャリッジの位置を検出している。
【０００６】
また、特許文献２のインクジェット記録装置には、キャリッジの移動範囲に設置されて装置内の複数の吸気口と、該各吸気口を開閉する複数の弁と、該吸気口にインクミストを導く気流を発生させるファンとが設けられている。そして、ファンを駆動しかつ弁によって吸気口が開くことで、ファンと吸気口の間に気流が発生する。発生したインクミストは、当該気流に導かれて回収されることになる。よって、リニアエンコーダシートにインクミストが付着するのを防いでいる。
【０００７】
更に、特許文献３には、送風手段による空気がリニアエンコーダシートの設置領域から印字ヘッドが搭載されたキャリッジへ流れ、印字ヘッドからのインクミストがリニアエンコーダシートへ流れることを防ぐ技術が提案されている。
【発明の概要】
【発明が解決しようとする課題】
【０００８】
しかしながら、上記特許文献１はキャリッジとエンコーダセンサがそれぞれ分離されて配置されている構成を有しているので、図１５に示すような、キャリッジにエンコーダセンサを搭載する一般的な構成には使用できず、汎用性が悪い。また、上述のように、エンコーダセンサとキャリッジはそれぞれに設けられたマグネットによる磁気的に結合されているため、上記各マグネットの磁力が低下した場合エンコーダセンサとキャリッジの間の位置ずれが生じ、その結果正確なキャリッジの位置検出が難しくなるという問題もあった。また、上記特許文献２によれば、リニアエンコーダシートがファンによる気流の流れの近傍にあるため、インクミスト回収の際にもリニアエンコーダシートにインクミストが付着してしまう場合があり、リニアエンコーダシートの汚染という問題は解消できていない。更に、上記特許文献３によれば、送風手段による気流がリニアエンコーダシートの設置領域からキャリッジ側へ流れるために、送風手段の気流が直接リニアエンコーダシートに外力を与えることになる。この外力でリニアエンコーダシートに歪み等が生じ、正確なキャリッジの位置検出が難しくなるという課題があった。
【０００９】
本発明は以上の問題点に鑑みなされたものであり、その目的は、正確なキャリッジの位置検出ができ、かつリニアエンコーダシートへのインクミストの付着を低減できる画像形成装置を提供することである。
【課題を解決するための手段】
【００１０】
請求項１の発明は、記録媒体に画像を形成するためのインクノズルを有する印字ヘッドと、該印字ヘッドを搭載し主走査方向に走査するキャリッジと、該キャリッジの位置を検知するためのカウンタが付されているリニアエンコーダシートと、上記キャリッジに取り付けられ、該リニアエンコーダシートの上記カウンタを光学的に読み取りキャリッジの位置を検出するエンコーダセンサとを具備する画像形成装置において、少なくとも、上記キャリッジ、上記リニアエンコーダシート及びエンコーダセンサが内部に配置されている空間容器と、該空間容器の内部が少なくとも負圧にならないように上記空間容器内の内圧を調整する内圧調整手段とを有し、上記空間容器を構成する部材には、上記印字ヘッドのインクノズルからインクが吐出される領域と略同じ大きさの開口部が設けられていることを特徴とする画像形成装置である。
更に、請求項２の発明は、請求項１記載の画像形成装置において、上記内圧調整手段が、上記空間容器内に空気を供給するファンであることを特徴とするものである。
また、請求項３の発明は、請求項１記載の画像形成装置において、上記キャリッジの走査に伴って上記空間容器の上記開口部のうち上記キャリッジの走査領域の上記開口部を遮蔽可能な遮蔽部材を有することを特徴とするものである。
更に、請求項４の発明は、請求項３記載の画像形成装置において、上記遮蔽部材は伸縮可能な蛇腹状の部材であることを特徴するものである。
また、請求項５の発明は、請求項３記載の画像形成装置において、上記遮蔽部材は回転可能なシート状の部材であることを特徴するものである。
更に、請求項６の発明は、請求項１記載の画像形成装置において、上記内圧調整手段が上記キャリッジが走査する方向の上記空間容器の側面筺体のそれぞれに設けられ、上記キャリッジが走査する方向の後方側となる上記空間容器の側面筺体に設けられた上記内圧調整手段を駆動することを特徴とするものである。
また、請求項７の発明は、請求項１又は６に記載の画像形成装置において、上記内圧調整手段を印字動作終了後の一定時間駆動することを特徴とするものである。
更に、請求項８の発明は、請求項１〜７のいずれか１項に記載の画像形成装置において、上記空間容器に開閉カバーを設けたことを特徴とするものである。
また、請求項９の発明は、請求項８記載の画像形成装置において、上記開閉カバーは、装置の外装部材の一部を併用して設けられていることを特徴とするものである。
【発明の効果】
【００１１】
本発明によれば、正確なキャリッジの位置検出ができ、かつインクミストによるリニアエンコーダシートの汚染を防ぐことができる。
【図面の簡単な説明】
【００１２】
【図１】本発明の第１の実施の形態に係る画像形成装置の構成を示す図である。
【図２】第１の実施の形態における空間容器内の内圧の様子を示す概略断面図である。
【図３】ファンの動作制御フローを示すフローチャートである。
【図４】ファンの別の動作制御フローを示すフローチャートである。
【図５】本発明の第２の実施の形態に係る画像形成装置の構成を示す図である。
【図６】本発明の第２の実施の形態に係る画像形成装置の別の構成を示す図である。
【図７】本発明の画像形成装置の構成を示す図である。
【図８】本発明の画像形成装置の別の構成を示す図である。
【図９】本発明の画像形成装置の別の構成を示す図である。
【図１０】本発明の画像形成装置の別の構成を示す図である。
【図１１】本発明の画像形成装置の組立工程を示す斜視図である。
【図１２】本発明の画像形成装置の組立工程を示す斜視図である。
【図１３】本発明の画像形成装置の組立工程を示す斜視図である。
【図１４】本発明の画像形成装置の組立工程を示す平面図である。
【図１５】従来のシリアル式のインクジェットプリンタの構成を示す平面図である。
【発明を実施するための形態】
【００１３】
本発明において、「液体吐出方式の画像形成装置（インクジェット記録装置）」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限るものではなく、吐出されるときに液体となるものであれば特に限定されるものではなく、例えば、ＤＮＡ試料、レジスト、パターン材料なども含まれる。また、「画像」とは平面的なものに限らず、立体的に形成されたものに付与された画像、また立体自体を３次元的に造形して形成された像も含まれる。
【００１４】
図１は本発明の第１の実施の形態に係る画像形成装置の構成を示す図である。同図の（ａ）は透視斜視図であり、同図の（ｂ）は側面図である。同図において、図１８と同じ参照符号は同じ構成要件を示す。本実施の形態の画像形成装置によれば、空間容器１１の内部には、印字ヘッド２を搭載するキャリッジ１、ガイドロッド５、リニアエンコーダシート６及びエンコーダセンサ７を有するキャリッジユニットが配置されている。また、上記空間容器１１には印字ヘッド２の通過領域のみ開口部１２が設けられている。この開口部１２の大きさは、少なくとも、用紙の印字範囲の大きさ、かつ印字ヘッド２の維持を保護する維持回復部１３の上面の大きさとなる。また、空間容器１１の上部には、外部の空気を空間容器１１内に取り込むためのファン１４−１、１４−２が設けられている。このファン１４−１、１４−２が外部の空気を取り込んで、空間容器１１の内圧がすくなくとも負圧状態にならないように、空間容器１１の内圧を調整している。
【００１５】
なお、空間容器１１には印字ヘッド２の通過領域のみ開口部が設けられ、他の箇所に大きな圧力を逃がすような開口部は設けられていない。圧力の逃げに相当しないような比較的小さい開口部、例えばガイド軸やリニアエンコーダシートの取り付けに必要な穴等はあっても良い。もしくは圧力を逃がすためではなく、圧力を高めるためのファンのように、空気を取り込むための部位には多少の開口部を設けられていても良い。また、空間容器１１を独立した構成としているが、空間容器１１はキャリッジユニットが密閉されていれば、外装の一部やフレーム部材の一部を利用した構造でも良い。更に、図１に示すようにファン１４−１、１４−２を空間容器１１の上面部材に取り付けているが、側面部材に取り付けても良い。
【００１６】
このような構成を有する第１の実施の形態によれば、上記キャリッジユニットを空間容器１１内に入れて、更にファン１４−１、１４−２によって空気を取り入れることで空間容器１１の内圧は外部よりも高くなる。そのため一部の開口部があっても印字ヘッド２から発生したインクミストは空間容器１１内に入らなくなる。よって、空間容器内に配置されたリニアエンコーダシートへの汚染を防ぐことができる。また、空間容器１１内の空間であれば、インクミストの汚染を防止できるため、エンコーダシートの位置など従来機と同様の部品レイアウトが可能となる。更に、気流でインクミストを吹き飛ばすのではなく、密閉空間内の圧力差を設けるだけのため、ファンの数や力は気流を用いたときよりも小さくてすみ、気流をリニアエンコーダシートへ直接当てる必要もない。
【００１７】
ここで、第１の実施の形態において、空気を送り込むファンの動作について概説する。図２は第１の実施の形態における空間容器内の内圧の様子を示す概略断面図である。同図において、図１と同じ参照符号は同じ構成要素を示す。図２に示すように、インクジェットプリンタのキャリッジ１は高速で主走査方向に動いているため、キャリッジ１が主走査方向に動くとキャリッジ１の後方、例えば図中の領域ｂにおける空間の内圧は下がる。よって、矢印Ａで示すようにインクミストを舞い上がらせ、エンコーダシートにインクミストが開口部から空間容器１１内に入り込んで付着しやすい状態になる。そこで、このような時には、図２に示すように、キャリッジ１が動く後方に位置するファン１２−１を駆動させて、空気を取り込んで図中の領域ｂにおける空間の内圧の低下を抑え、インクミストが空間容器１１内に入り込むことを防止できる。なお、キャリッジの動作の変化点(動作の反転の地点)や空間の端で気流の巻き上がりが発生しやすいので、ファンはキャリッジが動作する端にあった方が良い。そのため、ファンを空間容器１１の両側面に取り付けることも有効である。
【００１８】
次に、第１の実施の形態におけるファンの動作の一例について図１及びファンの動作制御フローチャートである図３に従って概説する。
先ず、図１のリニアエンコーダシート６とエンコーダセンサ７によりキャリッジ１の位置と移動方向は常に検知されている。そして、ファン１４の位置を規定しておき、キャリッジ１の走査上の位置がファン１４の近傍か否かを判定する（ステップＳ１０１）。判定した結果、キャリッジ１の走査上の位置がファン１４の近傍であれば当該ファン１４をオンにする（ステップＳ１０１；ＹＥＳ、ステップＳ１０２）。そして、次のキャリッジ１の移動があるか否かを判定し、なければ処理を終了し（ステップＳ１０３；ＮＯ）、次のキャリッジ１の移動があればステップＳ１０１に戻る（ステップＳ１０３；ＹＥＳ）。一方、ステップＳ１０１での判定結果、キャリッジ１の位置がファン１４の近傍でなければ、キャリッジ１の移動の方向がファン１４に近づく方向か離れる方向かを検知する（ステップＳ１０１；ＮＯ、ステップＳ１０４）。キャリッジ１の移動の方向がファン１４に近づく方向でない場合は該当するファン１４をオンにする（ステップＳ１０４；ＮＯ、ステップＳ１０２）。キャリッジ１の移動の方向がファン１４に近づく方向である場合は該当するファン１４をオフにする（ステップＳ１０４；ＹＥＳ、ステップＳ１０５）。このような動作を行うことにより、空間容器１１内においてキャリッジ１の移動による負圧状態を解除でき、インクミストの侵入を防ぐことができる。また、常に複数のファンを動作させる必要がないため、より効率的にファンを動作させることができる。
【００１９】
また、インクミストは印字動作が終了してキャリッジ１の動作が止まった後も画像形成装置内に漂って存在することが知られている。そのためキャリッジの動きが止まっても、つまり印字の動作が終わった後も、図４に示す別の動作フローのステップＳ２０７に示すように、ファン１４を停止せずに一定時間駆動し続ける。これにより、画像形成装置内に漂って存在するインクミストが空間容器１１内に入らないようにする。
【００２０】
図５は本発明の第２の実施の形態に係る画像形成装置の構成を示す図である。同図の（ａ）は透視斜視図であり、同図の（ｂ）は透視正面図である。同図において、図１と同じ参照符号は同じ構成要件を示す。本実施の形態の画像形成装置によれば、キャリッジ１の各側面と空間容器１１の各側面をつなぐように、蛇腹状に形成された可撓性の遮蔽部材２１が空間容器１１の開口部１２の上方に取り付けられている。キャリッジ１の各側面に遮蔽部材２１の一方の端部がそれぞれ取り付けられ、遮蔽部材２１の他方の端部がそれぞれ空間容器１１の内側の側面部材に取り付けられている。この遮蔽部材２１はキャリッジ１の主走査方向の移動に合わせて伸縮することが可能となっている。そのため、キャリッジ１が移動しても空間容器１１の開口部１２を常に覆うことができ、当該開口部からの空間容器１１内へインクミストの侵入を防ぐことができる。また、既存の装置にも取り付けられ、汎用性に富む。なお、遮蔽部材２１は蛇腹状をなしているが、伸縮性の高いゴム材のようなものでも良い。
【００２１】
図６は本発明の第２の実施の形態に係る画像形成装置の別の構成を示す図である。同図の（ａ）は透視斜視図であり、同図の（ｂ）は透視正面図である。同図において、図５と同じ参照符号は同じ構成要件を示す。本実施の形態の画像形成装置によれば、キャリッジ１の各側面に、回転動作可能なシート状の遮蔽部材３１の端部がそれぞれ取り付けられている。また、シート状の遮蔽部材３１は、空間容器１１の内側の側面部材に各側面に２本ずつ回動可能に設けられたコロ３２を経由して、キャリッジ１の上方を通るように副走査方向からみてリング状に取り付けられている。シート状の遮蔽部材３１はキャリッジ１の主走査方向の移動に伴って回転運動することが可能である。そのため、キャリッジ１が移動しても空間容器１１の開口部１２を常に覆うことができ、当該開口部からの空間容器１１内へインクミストの侵入を防ぐことができる。
【００２２】
図７は本発明の画像形成装置の構成を示す図である。同図の（ａ）は装置全体の斜視図であり、同図の（ｂ）は開閉カバーを開けたときの透視斜視図である。同図に示す本実施の形態の画像形成装置は、空間容器１１に開閉カバー４１を設けたものである。シリアル式のインクジェットプリンタとして、キャリッジ１が印字範囲を走査するため、折れ曲がった用紙が搬送されたときなどにおいてジャムが発生してしまう場合がある。また、キャリッジ１に搭載された印字ヘッドやインクカートリッジの交換等で、キャリッジ１には用意にアクセス可能にできる構成が望ましい。そこで、図７の（ｂ）に示すように、空間容器１１自体に設けられた開閉カバー４１を開けて交換操作等が簡単に行うことができる。
【００２３】
なお、図８に示すように外装カバー５１にはファンの経路をふさがずに外気を取り込むようにできる通風孔５２があった方が望ましい。また、図９に示すように、外装カバー５１を有する装置内部には７に示した開閉カバー４１が設けられた空間容器１１が配置されてもよい。更に、図１０に示すように、空間容器１１の天面にはメンテナンス用の開口部６１が設けられ、この開口部６１を塞ぐためのカバーを装置本体の筐体カバー６２で代用している。そして、図１０の（ｃ）に示すように、筐体カバー６２が閉じた際には、筐体カバー６２の裏面に設けられている弾性部材６３によって開口部６１が塞がれ、空間容器１１内の密閉状態を確保できる。この構成により、空間容器１１自体に開閉カバーを設けなくてもよくなり、部品点数が減る。
【００２４】
次に、本発明の画像形成装置の組立工程を図面に従って説明する。
図１１〜図１３は本発明の画像形成装置の組立工程を示す斜視図である。同図において、図１と同じ参照符号は同じ構成要素を示す。先ず、図１１に示すように、装置本体ベース部７１に搬送ユニット９を取り付け、搬送機構９の上から、２分割したキャリッジユニットを覆う主走査ユニットケース下部材７２をネジで取り付ける。主走査ユニットケース下部材７２には、印字ヘッドの可動範囲に開口部１２が設けられている。図１２の（ａ）に示すように、フレーム部材７３を取り付ける。なお、このフレーム部材７３の取り付けは搬送機構９を装着する前でも良い。そして、図１２の（ｂ）に示すように、キャリッジユニットを左右のフレーム部材７３に取り付ける。次に、図１３に示すように、主走査ユニットケース上部材７４を取り付ける。
【００２５】
この組立工程では、搬送機構とキャリッジユニットとの距離が重要であるため、搬送機構に対するキャリッジユニットの位置を調整可能になるように組む工夫がされている。本発明である主走査ユニットケースは従来の方式をなるべく変えないように、組立の自由度を持った形で取り付けるものとする。そのために、主走査ユニットケースを２分割し、先ず主走査ユニットケース下部材７２を搬送機構に固定するようにし、さらに主走査ユニットケース上部材７４にはキャリッジユニットとフレーム部材７３との接続部には逃げ部を設けておく。そして、キャリッジの位置が決まった後で、主走査ユニットケース上部材７４を組むことができるようにしてある。主走査ユニットケースとキャリッジの位置が別々に決まっているため、キャリッジの位置はフレーム部材７３の取り付け位置の調整が可能となっている。ここで、主走査ユニットケースを後から組み付けできるように逃げ部を設けた分、密閉空間が開口してしまうため、本例では左右のフレーム部材７３に主走査ユニットケースが密着するようにしてある。これにより、上記のような逃げ部を設けてもフレーム部材７３で覆われるため、密閉状態には問題ない。
【００２６】
更に、キャリッジには印字ヘッドを制御するためのハーネスやインクチューブが、本体から出されて接続される場合がある。図１４に示すように、キャリッジ１のインクヘッドに接続されたインクチューブ８１、そしてキャリッジ１の印字ヘッド２に接続されたハーネス８２は、フレーム部材７３の後方からフレーム部７３の外に配線されて制御基板（図示せず）やインク供給ユニット（図示せず）に接続されている。主走査ユニットケースを背面や左右側面のフレーム部材７３に密着するように構成することで、開口部１２はフレーム部材によって覆われている。そのため、インクミストの存在する用紙搬送部と主走査ユニットケース内とを切り離したまま、インクチューブ８１やハーネス８２をキャリッジ１に接続することができる。
【００２７】
以上説明したように、第１の実施の形態によれば、図１に示すように、空間容器の内部には、少なくとも、キャリッジ１、リニアエンコーダシート６及びエンコーダセンサ７が配置されている。また、キャリッジ１の走査によって空間容器内に負圧になる領域が発生し、その負圧に伴いインクミストが空間容器内に侵入してしまう。そこで、空間容器１１内の内圧を調整する内圧調整手段であるファン１４−１、１４−２を上記空間容器１１を形成する外装部材の一部に設けている。この内圧調整手段であるファン１４−１、１４−２は、空間容器１１の内圧が少なくとも負圧状態にならないように上記空間容器内に空気を強制的に送り込む。よって、上記空間容器の内部は常に少なくとも負圧状態とならないので、インクミストが空間容器内に侵入せず、インクミストによるリニアエンコーダシート６の汚染を防ぐことができる。また、本実施の形態の構成によれば、走査されるキャリッジ１に搭載されたエンコーダセンサ７はリニアエンコーダシート６の近傍に沿って移動するため、正確なキャリッジの位置検出が可能である。
【００２８】
また、第２の実施の形態によれば、空間容器に設けられた開口部１２のうち少なくともキャリッジ１の走査に伴って可変するキャリッジの走査領域の開口部に、図５の伸縮可能な蛇腹状の遮蔽部材２１や、図６の回転可能なシート状の遮蔽可能な遮蔽部材３１が設けられている。よって、キャリッジ１が走査しても開口部は遮蔽状態となっており、インクミストの侵入を防ぐことができ、リニアエンコーダシートの汚染を防ぐことができる。
【００２９】
更に、図２に示すように、走査する上記キャリッジの後方の空間容器内における領域が負圧状態になってその負圧状態となった領域にインクミストが侵入してくる。そこで、内圧調整手段であるファン１４−１、１４−２を上記空間容器１１の側面筺体のそれぞれに設け、上記キャリッジが走査する方向の後方側となる上記空間容器の側面筺体に設けられたファンを駆動して空気を取り込んで負圧状態を解除している。よって、キャリッジの走査による空間容器内が負圧状態となることを防ぐことができ、インクミストの侵入を防ぐことができ、リニアエンコーダシートの汚染を防ぐことができる。
【００３０】
また、印字動作終了後も装置内ではインクミストが浮遊しているので、内圧調整手段であるファンは印字動作終了後の一定時間駆動させておき、印字動作後浮遊しているインクミストの空間容器内への侵入を防いでいる。
【００３１】
更に、印字ヘッドやインクヘッドの交換等のメンテナンスのために空間容器に開閉カバーを設けることが好ましい。また、この開閉カバーは、装置の外装部材の一部を併用して設けられて、部品手数を削減することができる。
【００３２】
なお、本発明は上記実施の形態に限定されるものではなく、特許請求の範囲内の記載であれば多種の変形や置換、応用が可能である。
【符号の説明】
【００３３】
１  キャリッジ
２  印字ヘッド
３  モータ
４  タイミングベルト
５  ガイドロッド
６  リニアエンコーダシート
７  エンコーダセンサ
８  用紙
９  搬送機構
１１  空間容器
１２  開口部
１３  維持回復部
１４−１、１４−２  ファン
２１、３１  遮蔽部材
３２  コロ
４１  開閉カバー
５１  外装カバー
６１  開口部
６２  筐体カバー
６３  弾性部材
【先行技術文献】
【特許文献】
【００３４】
【特許文献１】特開２００７−３２６２５７号公報
【特許文献２】特開２００８−２６０１５４号公報
【特許文献３】特開２００１−１９１６０４号公報
【図１】
0005585869.tif 000002
【図２】
0005585869.tif 000003
【図３】
0005585869.tif 000004
【図４】
0005585869.tif 000005
【図５】
0005585869.tif 000006
【図６】
0005585869.tif 000007
【図７】
0005585869.tif 000008
【図８】
0005585869.tif 000009
【図９】
0005585869.tif 000010
【図１０】
0005585869.tif 000011
【図１１】
0005585869.tif 000012
【図１２】
0005585869.tif 000013
【図１３】
0005585869.tif 000014
【図１４】
0005585869.tif 000015
【図１５】
0005585869.tif 000016